(57)【特許請求の範囲】
【請求項１】
車椅子の両側の肘掛部の上方にその幅方向両側付近を位置させた状態で配置する板状のテーブル本体（１）と、
各々車椅子の両側の肘掛部上に配置し、各々一部に一端を結合した固定バンド（１２）で該各肘掛部に固定するように構成した長尺の一方の取付ガイド（２）及び短尺の他方の取付ガイド（３）と、
前記テーブル本体１の下面の幅方向両側の前後の部位に各々固設した軸受け（５）と、
前記取付ガイド（２、３）の上面の、前記テーブル本体１の下面に固設した軸受け（５）と上下対応する前後の部位に各々固設した軸受け（５）と、
Ｕ字形部又はコ字形部で繋いだ平行な二本の軸（６Ａ、６Ｂ）又は二本の軸（７Ａ、７Ｂ）からなる各々二つの２軸連結器（４Ａ、４Ｂ）であって、前者の各一方の軸（６Ａ）を前記テーブル本体１の下面の一側部に位置する前後の二つの軸受け（５）に、後者の各一方の軸（７Ａ）を他側部に位置する前後の二つの軸受け（５）に、それぞれ貫通嵌合させ、更に、前記一側部側の二つの２軸連結器（４Ａ）の各他方の軸（６Ｂ）を前記の一方の取付ガイド（２）の上面の前部又は後部に位置する各軸受け（５）に貫通嵌合させ、前記他側部側の二つの２軸連結器（４Ｂ）の各他方の軸（７Ｂ）を前記の他方の取付ガイド（３）の上面の前部又は後部に位置する各軸受け（５）に貫通嵌合させた各一対の２軸連結器（４Ａ、４Ｂ）と、
一方の二つの２軸連結器（４Ａ）の前記テーブル本体（１）の下面の一側部側の二つの軸受け（５）に貫通嵌合させた各軸（６Ａ）のＵ字形部又はコ字形部側の部位に固定状態に配した、前記軸受け（５）の対面する側に入り込み得る突起部を備えた押さえワッシャー（９）及び該各軸（６Ａ）の外端側に着脱自在に配した、該各軸受け（５）の対面する側に当接し得る受けワッシャー（１１）、並びに該各軸（６Ａ）の該各受けワッシャー（１１）より外側の部位の雄ねじ部に着脱自在に螺合した各締め付けナット（８）であって、前記各押さえワッシャー（９）と該各受けワッシャー（１１）とで該各軸受け（５）を挟んだ状態になるように締め付けるための各締め付けナット（８）と、
該一方の二つの２軸連結器（４Ａ）の前記一方の取付ガイド（２）の上面の二つの軸受け（５）に貫通嵌合させた各軸（６Ｂ）のＵ字形部又はコ字形部側の部位に固定状態に配した、前記軸受け（５）の対面する側に当接するスペースワッシャー１０及び該各軸（６Ｂ）の外端側に、該各軸受け（５）の対面する側に当接させる着脱自在に配した受けワッシャー（１１）、並びに該各軸（６Ｂ）の該各受けワッシャー（１１）より外側の部位の雄ねじ部に着脱自在に螺合した各締め付けナット（８）であって、前記各スペースワッシャー（１０）と該各受けワッシャー（１１）とで該各軸受け（５）を挟んだ状態になるように締め付けるための各締め付けナット（８）と、
他方の二つの２軸連結器（４Ｂ）の前記テーブル本体１の下面の他側部側の二つの軸受け（５）に貫通嵌合させた各軸（７Ａ）のＵ字形部又はコ字形部側の部位に固定状態に配した、前記各軸受け（５）の対面する側に入り込む突起部を備えた押さえワッシャー９及び該各軸（７Ａ）の外端側に着脱自在に配した、該各軸受け（５）の対面する側に当接し得る受けワッシャー１１、並びに該各軸（７Ａ）の該各受けワッシャー（１１）より外側の部位の雄ねじ部に着脱自在に螺合した各締め付けナット（８）であって、前記各押さえワッシャー（９）と該各受けワッシャー（１１）とで該各軸受け（５）を挟んだ状態になるように締め付けるための各締め付けナット（８）と、
該他方の二つの２軸連結器（４Ｂ）の前記他方の取付ガイド３の上面の二つの軸受け（５）に貫通嵌合させた各軸（７Ｂ）のＵ字形部又はコ字形部側の部位に固定状態に配した、前記各軸受け（５）の対面する側に入り込む突起部を備えた押さえワッシャー（９）及び該各軸（７Ｂ）の外端側に着脱自在に配した、該各軸受け（５）の対面する側に当接し得る各受けワッシャー（１１）、並びに該各軸（７Ｂ）の該各受けワッシャー（１１）より外側の部位の雄ねじ部に着脱自在に螺合した各締め付けナット（８）であって、前記各押さえワッシャー（９）と該各受けワッシャー（１１）とで該各軸受け（５）を挟んだ状態になるように締め付けるための各締め付けナット（８）と、
前記取付ガイド（２、３）に、これらを各々車椅子の肘掛部上に載せた場合に、その状態を該肘掛部と共に巻き付けて固定するために、一端を該取付ガイド（２、３）に固定した固定バンド（１２）と、
で構成した車椅子用着脱式テーブル。
【発明の詳細な説明】
【技術分野】
【０００１】
本発明は、車椅子に設置される車椅子用着脱式テーブルに関する。
【背景技術】
【０００２】
車椅子利用時に、食事や軽作業、読書などをする際には、脚の上を利用するなどにより、傾いた姿勢を続けることによる疲労や、食事や作業のし難くさなどから、車椅子に取り付けられるテーブルが、利用者から要望されている。
【０００３】
車椅子に取り付けるテーブルに関しては、例えば、特許文献１には、車椅子に載せて使用する着脱式のテーブルであって、テーブルの前部をアームパイプに添わせて、車椅子本体フレームに付設した左右一対のスライドレールに掛止し、後部を左右のアームレストに係合して、前後スライド移動可能に装着したことを特徴とする車椅子用テーブルが記載されているが、テーブルの取り付けにスライドレールの付設が必要となり、テーブル取り付け作業が煩雑となる課題がある。
【０００４】
特許文献２には、車椅子左右のアームレストに架設されて車椅子に設置される車椅子用テーブルであって、車椅子の使用者側に切欠部を設けたテーブル本体と、このテーブル本体の下面に取付けられ、前記左右のアームレストにそれぞれスライド係合する長尺状の係合レールを左右に備え、この左右の係合レールは、前記左右のアームレストの外方側で前記左右のアームレストの側面に沿う長尺状の側面ガイドと、この側面ガイドの下端部から延びて、前記左右のアームレストの下面に沿う下面ガイドとを、それぞれ備える車椅子用テーブルが記載されているが、側面ガイドの取り付けに、アームレストの幅に合う螺合穴に螺合設置と下面ガイドとアームレストの隙間調整を要し、更にテーブル面高さもアームレストに準ずる高さに限られ、椅子に座る際はテーブルを取り外す必要がある。
【先行技術文献】
【特許文献】
【０００５】
【特許文献１】特開２００７−６９２５号公報（図１、図４）
【特許文献２】特開２０１３−１１１０９１号公報（図６）
【発明の概要】
【発明が解決しようとする課題】
【０００６】
車椅子の肘掛部に載せて固定するテーブルにおいて、取り付けが容易で、従来なかったテーブル面の高さ調整機能と、車椅子へ乗降の際にテーブルを取り外すことなく、テーブルの回転移動により座面を開放する機能を備えた車椅子用テーブルを提供することを目的とする。
【課題を解決するための手段】
【０００７】
テーブル本体を車椅子に設置し固定させるための取付ガイドを設け、テーブル本体と取付ガイドとを、２つの軸を持つ連結器（２軸連結器）をもって連結し、テーブルと取付ガイドを一体化する。
【０００８】
テーブル本体裏面には、２軸連結器を取り付けるための軸受けを、左端部の前後に２箇所設け、更に右端部にも同様に２箇所設けて、計４箇所を設ける。
【０００９】
車椅子への乗降時の座面開放には、テーブルの回転移動を行うために、左右に用いる取付ガイドの一方を他の一方より長さを短くし、長い方を支点側とし、短い方を移動側とする。各々の取付ガイドの上面には、２軸連結器と連結するための軸受けを前後２箇所設け、取付位置はテーブルに設けた軸受けの位置と合致するようにする。
【００１０】
２軸連結器は両端にネジ加工を施しコの字状、又はＵの字状に成形して２軸を構成している。２軸連結器の軸間の長さを任意に調整又は選択することで、テーブル面の高さを任意に調整又は選択することができる。
【００１１】
２軸連結器の構造は、前記コの字状又はＵの字状に代えて、軸支えプレートを利用し、当該軸支えプレートに複数の軸差込口を設け、必要な軸間長さに応じてＡ軸及びＢ軸を差込み、ナットで締め付け固定した構造を採用することもできる。
【発明の効果】
【００１２】
本発明により車椅子にあらかじめテーブルを取り付けておけば、テーブルを回転移動することで、乗降することができ、利便性が向上する。
【００１３】
座幅が異なる車椅子であっても、２軸連結器が幅の調節機能を有しているため、既存の車椅子の寸法であれば、取付が可能である。
【００１４】
２軸連結器の軸間の長さを任意に調整又は選択することで、テーブル面の高さを任意に調整又は選択することも可能である。
【図面の簡単な説明】
【００１５】
【図１】テーブルの一例の平面図
【図２】テーブルの一例の側面図
【図３】取付ガイドの一例の平面図と側面図
【図４】２軸連結器の一例の平面図
【図５】車椅子肘掛部にテーブルを取り付けた一例の正面図
【図６】テーブルを回転移動させた状態の正面図
【発明を実施するための形態】
【００１６】
以下、図を用いて車椅子用テーブル（以降、テーブルと称する場合がある）を例示説明する。
【実施例１】
【００１７】
テーブル本体１と取り付けガイド２及び３とを、２軸連結器４Ａ、４Ｂをもって連結させ、組み立てが完成した後に、車椅子肘掛部にテーブルを載せ、取り付けガイドを肘掛部に取り付け固定バンドで締め付け固定する。
【００１８】
テーブル本体１と取付ガイドとの組み立ては、テーブルを回転移動時の支点となる側に取付ガイド２を、移動する側に取付ガイド３を取り付け、支点となる側に２軸連結器４Ａを、移動する側に２軸連結器４Ｂを用い、テーブルに備えた軸受５と、取付ガイドに備えた軸受５に２軸連結器の軸６Ａ，６Ｂ、７Ａ、７Ｂ各々の軸を差込み、固定ナットにて仮止めをしておく。
【００１９】
軸受５は、例えば矩形の立方体で構成され、中心部に孔を設け２軸連結器４Ａ、４Ｂの軸が貫通されるように構成されている。軸受のテーブル又は取付ガイドへの固定は、接着剤、ネジなどを利用することができる。
【００２０】
軸受への２軸連結器の取付は、軸受の孔に２軸連結器の軸を通し、ナットで固定するものであるが、２軸連結器Ａには、手前のナット側調整軸６Ａに受けワッシャー１１を設け、奥側の一方には押さえワッシャー９を、もう一方の調整軸６Ｂにはスペースワッシャー１０が設けられている。押さえワッシャー９とスペースワッシャー１０は、調整軸６Ａ、６Ｂに回動不動に固定されており、ナット８を締め付けることで、受けワッシャー１１と押さえワッシャー９にて、もう一方の受けワッシャー１１とスペースワッシャー１０において、軸受を挟み込んで軸受に固定される。また、押さえワッシャー９には複数個所の突起部を設け、この突起部が軸受に入り込むことで、軸の回動を防止しテーブルの位置を安定的に維持することが可能となる。また、スペースワッシャー１０には、突起部を設けず軸との回動を可能にすることで、当該軸を支点としてテーブルの回転移動が可能となるよう構成している。
【００２１】
２軸連結器Ｂには、手前のナット側調整軸７Ａに受けワッシャー１１を設け、奥側には押さえワッシャー９を設け、もう一方の調整軸７Ｂにも同様に、手前のナット側軸に受けワッシャー１１を設け、奥側には押さえワッシャー９を設ける。押さえワッシャー９は、調整軸７Ａ，７Ｂに回動不動に固定されており、ナット８を締め付けることで、受けワッシャー１１と押さえワッシャー９にて、軸受を挟み込んで軸受に固定される。また、押さえワッシャー９には複数個所の突起部を設け、この突起部が軸受に入り込むことで、軸の回動を防止しテーブルの位置を安定的に維持することが可能となる。２軸連結器Ｂが設置される側は、回転移動時の移動側となるため、２軸共軸受に固定される構成としてる。
【００２２】
テーブル１を車椅子に取り付けるには、取付ガイドの仮止めが完了したテーブルを椅子の肘掛にのせ、左右の取付ガイドが肘掛部の真上になるように、テーブルを回転移動の支点となる側の取付ガイド２と車椅子肘掛部を固定バンドにより固定する。その後に移動する側の取付ガイド３を、車椅子肘掛部の真上になるよう、取付ガイドを左右に移動調整し、移動する側の取付ガイド３と車椅子肘掛部を固定バンドで固定する。
【００２３】
車椅子に固定されたテーブル１は、２軸連結器が仮止めの状態であるため、テーブルが椅子の中央になるようテーブルを左右に移動調整後、ナット８を締め付けて固定する。
【００２４】
車椅子にテーブル１の取り付けが完了すると、車椅子への乗降がテーブル１により閉ざされるため、取付ガイド３の固定バンドを外し、テーブル１を回転移動して車椅子座面を開放する。次に車椅子に座りテーブル１を回転移動して戻し、固定バンドにて肘掛部に取付ガイドを固定する。
【００２５】
テーブル１は上面に物などを載せることができる、車椅子にテーブルを取り付けた状態で自走又は移動を行うことができる。
【００２６】
車椅子の座幅は車椅子の製造会社や品種によって複数のサイズがあり、座幅が異ると肘掛幅も異なる。現状はそのサイズが３８ｃｍから４２ｃｍまであるが、２軸連結器の幅調整機能により肘掛の幅の違いにも順応したテーブルを提供することができる。  
【実施例２】
【００２７】
２軸連結器の構造は、図示しないがコの字状又はＵの字状に代えて、軸支えプレートを利用し、当該軸支えプレートに複数の軸差込口を設け、必要な軸間長さに応じてＡ軸及びＢ軸を差込み、ナットで締め付け固定した構造を採用することもできる。
【産業上の利用可能性】
【００２８】
本テーブルは、工業生産が可能であり、完成した製品は、医療施設や介護施設での利用が可能である。
【符号の説明】
【００２９】
１  テーブル本体
２  取付ガイド（長尺）
３  取付ガイド（短尺）
４Ａ  ２軸連結器（支点側）
４Ｂ  ２軸連結器（移動側）
５  軸受け
６Ａ  調整軸兼支点軸
６Ｂ  調整軸
７Ａ  調整軸
７Ｂ  調整軸
８  締め付けナット
９  押さえワッシャー
１０  スペースワッシャー
１１  受けワッシャー
１２  固定バンド
【要約】      （修正有）【課題】車椅子の肘掛部に容易に取り付けることが可能で、従来無かったテーブル面の高さ調整機能と、取り外しなしに車椅子への乗降が可能である車椅子用テーブルを提供する。【解決手段】テーブル本体と、取付ガイド２、３とをそれらの上に固設した軸受け５、テーブル本体１の両側下面に固設した軸受け５及び両側の２軸連結器４Ａ、４Ｂを介して連結してなる。２軸連結器４Ａ、４Ｂは、二本の平行な軸６Ａ、６Ｂ又は７Ａ、７Ｂを一端のＵ字形部で連結して構成し、軸６Ａ、７Ａ、７ＢのＵ字形部側に突起部を有する押さえワッシャーを固設し、軸６Ｂの同じ位置には突起部を有しないスペースワッシャーを固設し、軸６Ａ、６Ｂ、７Ａ、７Ｂの外端側には受けワッシャーを着脱自在に配置し、かつその更に外端側には締め付けナット８を着脱自在に螺合したものである。【選択図】図５【図３】
0005547842.tif 000002
【図４】
0005547842.tif 000003
【図１】
0005547842.tif 000004
【図２】
0005547842.tif 000005
【図５】
0005547842.tif 000006
【図６】
0005547842.tif 000007